(57)【要約】      （修正有）【課題】バランスばねスタッドの組み立て又は分解を単純化できるような、計時器用バランスばねを保持ないし支持するアセンブリーを提供する。【解決手段】上側面と下側面を有するコック５を有する計時器用バランスばねを保持ないし支持するアセンブリー１であって、下側面にバランスばねスタッド９とスタッドホルダー３を配置し、スタッドホルダー３は、スタッド９をコック５に固定する手段６を有し、固定する手段６は、スタッド６を挿入するためのハウジングを形成するようにコック５を貫通し周部リムが設けられたオリフィスと、取り付け手段７を有する回転要素３０を有し、取り付け手段７によって回転要素３０がハウジング内に回転可能に取り付けられ、回転手段３０はスタッド６と連係する外側縁を有し、これによって、回転要素３０がハウジング内にて組み立てられる時に、回転要素３０の外側縁とハウジングの周部リムの間にスタッド９がロックされる。【選択図】図１
2016118555.tif 000002
【特許請求の範囲】
【請求項１】
上側面と下側面を有するコック（５）を有する計時器用バランスばねを保持ないし支持するアセンブリー（１）であって、
前記下側面にバランスばねスタッド（９）とスタッドホルダー（３）が配置されており、
前記スタッドホルダーは、前記コックに前記スタッド（９）を固定する手段（６）を有し、
このスタッドを固定する手段は、前記スタッドを挿入するためのハウジング（５０）を形成するように、前記コックを貫通し周部リム（５１ａ）が設けられたオリフィス（５１）を有し、
前記スタッドを固定する手段は、さらに、取り付け手段（７）を有する回転要素（３０、３００）を有し、この取り付け手段によって、この回転要素が前記ハウジング内に回転可能に取り付けられ、
前記回転手段は、前記スタッドと連係する外側縁（３３、３０３）を有し、これによって、前記回転要素が前記ハウジング内にて組み立てられる時に、前記回転要素の前記外側縁（３３、３０３）と前記ハウジングの前記周部リムの間に前記スタッドがロックされるようにされる
ことを特徴とする保持アセンブリー。
【請求項２】
前記周部リム（５１ａ）には、貫通ノッチ（５２）が設けられており、前記スタッドをこの貫通ノッチ内に位置させることができるようにされている
ことを特徴とする請求項１に記載の保持アセンブリー。
【請求項３】
前記回転要素（３０、３００）には、貫通ノッチ（３５）が設けられており、前記スタッドをこの貫通ノッチ内に位置させることができるようにされている
ことを特徴とする請求項１に記載の保持アセンブリー。
【請求項４】
前記回転要素は、ハブ（３０）である
ことを特徴とする請求項２〜３のいずれかに記載の保持アセンブリー。
【請求項５】
前記回転要素は、リング（３０）である
ことを特徴とする請求項２〜３のいずれかに記載の保持アセンブリー。
【請求項６】
前記ハブ（３０）は、緩衝システムを有する
ことを特徴とする請求項４に記載の保持アセンブリー。
【請求項７】
上側面と下側面を有するコック（５）を有する計時器用バランスばねを保持ないし支持するアセンブリー（１）であって、
前記下側面にバランスばねスタッド（９）とスタッドホルダー（３）が配置されており、
前記スタッドホルダーは、前記コックに前記スタッド（９）を固定する手段（６）を有し、このスタッドを固定する手段は、底部（５１３）と周部リム（５１１）によって形成された非貫通の環状の凹部を有し、
この凹部は、前記スタッドを挿入するためのハウジング（５００）を形成する前記コックの前記上側面上に配置されており、
前記スタッドを固定する手段は、さらに、取り付け手段（７）を有する回転要素（３０、３００）を有し、この取り付け手段によって、この回転要素が前記ハウジング内に回転可能に取り付けられ、
前記回転手段は、前記スタッドと連係する外側縁（３３、３０３）を有し、これによって、前記回転要素が前記ハウジング内にて組み立てられる時に、前記回転要素の前記外側縁（３３、３０３）と前記ハウジングの前記周部リムの間に前記スタッドがロックされるようにされる
ことを特徴とする保持アセンブリー。
【請求項８】
前記回転要素は、ハブ（３０）である
ことを特徴とする請求項７に記載の保持アセンブリー。
【請求項９】
前記回転要素は、リング（３００）である
ことを特徴とする請求項７に記載の保持アセンブリー。
【請求項１０】
前記周部リム（５１１）には、貫通ノッチ（３５）が設けられており、前記スタッドをこの貫通ノッチ内に位置させることができるようにされている
ことを特徴とする請求項７〜９のいずれかに記載の保持アセンブリー。
【請求項１１】
前記回転要素（３０、３００）には、前記ハウジングの底部に位置する穴と連係する貫通ノッチ（３５）が設けられており、前記スタッドをこの貫通ノッチ内に位置させることができるようにされている
ことを特徴とする請求項７〜９のいずれかに記載の保持アセンブリー。
【請求項１２】
前記ハウジング（５００）は、周部リム（５１１）、内側リム（５１２）及び底部によって形成された環状の凹部であり、このハウジング内に前記回転要素が挿入され、前記内側リムは、前記底部から隆起している中央部分（５１４）の形を定めている
ことを特徴とする請求項９に記載の保持アセンブリー。
【請求項１３】
前記内側リム（５１２）には、前記ハウジングの底部に位置する穴と連係する貫通ノッチ（５１５）が設けられており、前記スタッドをこの貫通ノッチ内に位置させることができるようにされている
ことを特徴とする請求項１２に記載の保持アセンブリー。
【請求項１４】
前記ハウジングの底部は、緩衝システム（１００）を有する
ことを特徴とする請求項７〜１３のいずれかに記載の保持アセンブリー。
【請求項１５】
上側面と下側面を有するコック（５）を有する計時器用バランスばねを保持ないし支持するアセンブリー（１）であって、
前記下側面にバランスばねスタッド（９）とスタッドホルダー（３）が配置されており、
前記スタッドホルダーは、前記コックに前記スタッド（９）を固定する手段（６）を有し、
このスタッドを固定する手段は、底部（５１３）と周部リム（５１１）によって形成された非貫通の環状の凹部を有し、
この凹部は、前記スタッドを挿入するためのハウジング（５００）を形成する前記コックの前記下側面上に配置されており、
前記スタッドを固定する手段は、さらに、取り付け手段（７）を有する回転要素（３０、３００）を有し、この取り付け手段によって、この回転要素を前記ハウジング内に回転可能に取り付け、
前記回転手段は、前記スタッドと連係する外側縁（３３、３０３）を有し、これによって、前記回転要素が前記ハウジング内にて組み立てられる時に、前記回転要素の前記外側縁（３３、３０３）と前記ハウジングの前記周部リムの間に前記スタッドがロックされるようにされる
ことを特徴とする保持アセンブリー。
【請求項１６】
前記回転要素は、ハブ（３０）である
ことを特徴とする請求項１５に記載の保持アセンブリー。
【請求項１７】
前記回転要素は、リング（３００）である
ことを特徴とする請求項１５に記載の保持アセンブリー。
【請求項１８】
前記周部リム（５１１）には、ノッチ（３５）が設けられており、前記スタッドをこのノッチ内に位置させることができるようにされている
ことを特徴とする請求項１５〜１７のいずれかに記載の保持アセンブリー。
【請求項１９】
前記回転要素（３０、３００）には、ノッチ（３５）が設けられており、前記スタッドをこのノッチ内に位置させることができるようにされている
ことを特徴とする請求項１５〜１７のいずれかに記載の保持アセンブリー。
【請求項２０】
前記ハウジング（５００）は、周部リム（５１１）、内側リム（５１２）及び底部によって形成された環状の凹部であり、このハウジング内に前記回転要素が挿入され、
前記内側リムは、前記底部から隆起している中央部分（５１４）の形を定めている
ことを特徴とする請求項１７に記載の保持アセンブリー。
【請求項２１】
前記内側リム（５１２）には、ノッチ（５１５）が設けられており、前記スタッドをこの貫通ノッチ内に位置させることができるようにされている
ことを特徴とする請求項２０に記載の保持アセンブリー。
【請求項２２】
前記ハブ（３０）は、緩衝システム（１００）を有する
ことを特徴とする請求項１６に記載の保持アセンブリー。
【請求項２３】
前記ハウジングの底部は、緩衝システム（１００）を有し、回転要素として機能する前記リングをバランススタッフが通り抜ける
ことを特徴とする請求項１７に記載の保持アセンブリー。
【請求項２４】
前記中央部分（５１４）は、緩衝システム（１００）を有する
ことを特徴とする請求項２１に記載の保持アセンブリー。
【請求項２５】
前記周部リム（５１ａ、５１１）は、基礎構造の平面に垂直で前記上側面にて開いているカウンターシンクと、及びこのカウンターシンクと交わる向きを有し前記上側面に対向している非貫通溝とを有し、これによって、回転要素を差し込み式嵌め合いでロックし、
前記回転要素（３０、３００）は、前記少なくとも１つの空洞と連係する少なくとも１つの突出部を有する
ことを特徴とする請求項１〜２４のいずれかに記載の保持アセンブリー。
【請求項２６】
前記周部リム（５１ａ、５１１）と前記回転要素（３０、３００）はそれぞれ、ねじピッチを有し、これによって、前記周部リムと前記回転要素どうしが連係することが可能になる
ことを特徴とする請求項１〜２５のいずれかに記載の保持アセンブリー。
【発明の詳細な説明】
【技術分野】
【０００１】
本発明は、バランスばねスタッド及びスタッドホルダーを有する計時器用バランスばねを保持ないし支持するアセンブリーに関し、前記スタッドホルダーは、
−  当該基礎構造の長手方向の軸に沿って延びる第１の止めメンバーを有する基礎構造と、及び
−  前記スタッドホルダーをエスケープ機構に固定する手段と
を有する。
【背景技術】
【０００２】
機械式腕時計においては、ばね仕掛けバランスデバイスを有する調整メンバーがよく用いられる。伝統的に、バランスばねの内側端は、バランススタッフに設けられたコレットに取り付けられている。バランスばねの内側端を取り付け位置合わせするために、バランスばねスタッドを収容するスタッドホルダーをクランプねじと連係させて用いて、スタッドホルダーに係合するバランスばねの部分に対してスタッドをクランプすることが知られている。
【０００３】
このようなアセンブリーにおいて、スタッドホルダーは、伝統的に、バランスコックに取り付けられ、これは、バランススタッフの一端を取り付けるためにも用いられる。実際上、組み立て時及び／又は計時している時に、これらの諸要素を用いて行う操作は困難である。なぜなら、アクセスが制限され、各部品は非常に小さいからである。さらに、このような構成では、バランスばねの有効長の調整のような操作時に、バランスばねクランプねじ又はバランスばねスタッドホルダーが、緩み及び／又は紛失することがよくある。
【発明の概要】
【発明が解決しようとする課題】
【０００４】
本発明は、バランスばねスタッドの組み立て又は分解を単純化できるような、計時器用バランスばねを保持ないし支持するアセンブリーを提供することによって、従来技術の課題を克服することを目的とする。
【課題を解決するための手段】
【０００５】
このために、本発明は、上側面と下側面を有する基礎構造を有する計時器用バランスばねを保持ないし支持するアセンブリーに関し、前記下側面にバランスばねスタッドとスタッドホルダーが配置されており、前記スタッドホルダーは、前記基礎構造に前記スタッドを固定する手段を有し、このスタッドを固定する手段は、前記スタッドを挿入するためのハウジングを形成するように、前記基礎構造を貫通し周部リムが設けられたオリフィスを有し、前記スタッドを固定する手段は、さらに、前記ハウジング内で回転要素を回転可能に取り付けるための取り付け手段を有し、前記回転手段は、前記スタッドと連係する外側縁を有し、これによって、前記回転要素が前記ハウジング内にて組み立てられる時に、前記回転要素の前記外側縁と前記ハウジングの前記周部リムの間に前記スタッドがロックされるようにされる。
【０００６】
第１の好ましい実施形態において、前記周部リムには、貫通ノッチが設けられており、前記スタッドをこの貫通ノッチ内に位置させることができるようにされている。
【０００７】
第２の好ましい実施形態において、前記回転要素には、貫通ノッチが設けられており、前記スタッドをこの貫通ノッチ内に位置させることができるようにされている。
【０００８】
第３の好ましい実施形態において、前記回転要素は、ハブである。
【０００９】
第４の好ましい実施形態において、前記回転要素は、リングである。
【００１０】
第５の好ましい実施形態において、前記ハブは、緩衝システムを有する。
【００１１】
本発明は、上側面と下側面を有する基礎構造を有する計時器用バランスばねを保持ないし支持するアセンブリーに関し、前記下側面にバランスばねスタッドとスタッドホルダーが配置されており、前記スタッドホルダーは、スタッドをエスケープ機構に固定する手段を有し、このスタッドを固定する手段は、底部と周部リムによって形成された非貫通の環状の凹部を有し、この凹部は、前記スタッドを挿入するためのハウジングを形成する前記基礎構造の前記上側面上に配置されており、前記スタッドを固定する手段は、さらに、前記ハウジング内で回転要素を回転可能に取り付けるための取り付け手段を有し、前記回転手段は、前記スタッドと連係する外側縁を有し、これによって、前記回転要素が前記ハウジング内にて組み立てられる時に、前記回転要素の前記外側縁と前記ハウジングの前記周部リムの間に前記スタッドがロックされるようにされる。
【００１２】
第１の好ましい実施形態において、前記回転要素は、ハブである。
【００１３】
第２の好ましい実施形態において、前記回転要素は、リングである。
【００１４】
第３の好ましい実施形態において、前記周部リムには、貫通ノッチが設けられており、前記スタッドをこの貫通ノッチ内に位置させることができるようにされている。
【００１５】
第４の好ましい実施形態において、前記回転要素には、前記ハウジングの底部に位置する穴と連係する貫通ノッチが設けられており、前記スタッドをこの貫通ノッチ内に位置させることができるようにされている。
【００１６】
第５の好ましい実施形態において、前記ハウジングは、周部リム、内側リム及び底部によって形成された環状の凹部であり、このハウジング内に前記回転要素が挿入され、前記内側リムは、前記底部から隆起している中央部分の形を定めている。
【００１７】
別の好ましい実施形態において、前記内側リムには、前記ハウジングの底部に位置する穴と連係する貫通ノッチが設けられており、前記スタッドをこの貫通ノッチ内に位置させることができるようにされている。
【００１８】
別の好ましい実施形態において、前記ハウジングの底部は、緩衝システムを有する。
【００１９】
本発明は、上側面と下側面を有する基礎構造を有する計時器用バランスばねを保持ないし支持するアセンブリーに関し、前記下側面にスタッドとスタッドホルダーが配置されており、前記スタッドホルダーは、エスケープ機構に前記スタッドを固定する手段を有し、このスタッドを固定する手段は、底部と周部リムによって形成された非貫通の環状の凹部を有し、この凹部は、前記スタッドを挿入するためのハウジングを形成する前記基礎構造の前記上側面上に配置されており、前記スタッドを固定する手段は、さらに、前記ハウジング内で回転要素を回転可能に取り付けるための取り付け手段を有し、前記回転手段は、前記スタッドと連係する外側縁を有し、これによって、前記回転要素が前記ハウジング内にて組み立てられる時に、前記回転要素の前記外側縁と前記ハウジングの前記周部リムの間に前記スタッドがロックされるようにされる。
【００２０】
第１の好ましい実施形態において、前記回転要素は、ハブである。
【００２１】
第２の好ましい実施形態において、前記回転要素は、リングである。
【００２２】
第３の好ましい実施形態において、前記周部リムには、ノッチが設けられており、前記スタッドをこのノッチ内に位置させることができるようにされている。
【００２３】
第４の好ましい実施形態において、前記回転要素には、貫通ノッチが設けられており、前記スタッドをこの貫通ノッチ内に位置させることができるようにされている。
【００２４】
第５の好ましい実施形態において、前記ハウジングは、周部リム、内側リム及び底部によって形成された環状の凹部であり、このハウジング内に前記回転要素が挿入され、前記内側リムは、前記底部から隆起している中央部分の形を定めている。
【００２５】
第６の好ましい実施形態において、前記内側リムには、ノッチが設けられており、前記スタッドをこの貫通ノッチ内に位置させて連係させることができるようにされている。
【００２６】
別の好ましい実施形態において、前記ハブは、緩衝システムを有する。
【００２７】
別の好ましい実施形態において、前記ハウジングの底部は、緩衝システムを有し、回転要素として機能する前記リングをバランススタッフが通り抜ける。
【００２８】
別の好ましい実施形態において、前記中央部分は、緩衝システムを有する。
【００２９】
別の好ましい実施形態において、前記周部リムは、基礎構造の平面に垂直で前記上側面にて開いているカウンターシンクと、及びこのカウンターシンクと交わる向きを有し前記上側面に対向している非貫通溝とを有し、これによって、回転要素を差し込み式嵌め合いでロックし、前記回転要素は、少なくとも１つの前記空洞と連係する少なくとも１つの突出部を有する。
【００３０】
別の好ましい実施形態において、前記周部リムと前記回転要素はそれぞれ、ねじピッチを有し、これによって、前記周部リムと前記回転要素どうしが連係することが可能になる。
【００３１】
例としてのみ与えられる添付図面に示した本発明の少なくとも１つの実施形態（これに制限されない）の下記の詳細な説明を読むことで、本発明の目的、利点及び特徴をより明確に理解できるであろう。
【図面の簡単な説明】
【００３２】
【図１】本発明に係る保持アセンブリーの第１の実施形態の好ましい態様の図を示す。
【図２】本発明に係る保持アセンブリーの第１の実施形態の好ましい態様の図を示す。
【図３】本発明に係る保持アセンブリーの第１の実施形態の好ましい態様の図を示す。
【図４】本発明に係る保持アセンブリーの第１の実施形態の好ましい態様の図を示す。
【図５】本発明に係る保持アセンブリーの第１の実施形態の好ましい態様の図を示す。
【図６】本発明に係る保持アセンブリーの第１の実施形態の好ましい態様の図を示す。
【図７】本発明に係る保持アセンブリーの第１の実施形態の好ましい態様の図を示す。
【図８】本発明に係る保持アセンブリーの第１の実施形態の別のバージョンの図を示す。
【図９】本発明に係る保持アセンブリーの第２の実施形態の図を示す。
【図１０】本発明に係る保持アセンブリーの第３の実施形態の図を示す。
【図１１】本発明に係る第２及び第３の実施形態の第１の手法の図を示す。
【図１２】本発明に係る第２及び第３の実施形態の第１の手法の図を示す。
【図１３】本発明に係る第２及び第３の実施形態の第１の手法の図を示す。
【図１４】本発明に係る第２及び第３の実施形態の第２の手法の図を示す。
【図１５】本発明に係る第２及び第３の実施形態の第２の手法の図を示す。
【図１６】本発明に係る第２及び第３の実施形態の第２の手法の図を示す。
【図１７】本発明に係る第２及び第３の実施形態の第１の変種の図を示す。
【図１８】本発明に係る第２及び第３の実施形態の第１の変種の図を示す。
【図１９】本発明に係る第２及び第３の実施形態の第１の変種の図を示す。
【図２０】本発明に係る第２及び第３の実施形態の第２の変種の図を示す。
【図２１】本発明に係る第２及び第３の実施形態の第２の変種の図を示す。
【図２２】本発明に係る第２及び第３の実施形態の第２の変種の図を示す。
【図２３】本発明に係る第２及び第３の実施形態の第２の変種の図を示す。
【図２４】本発明に係る保持アセンブリーの様々な実施形態において用いられるリングの変種の図を示す。
【発明を実施するための形態】
【００３３】
本発明は、大まかには、スタッドをより容易に組み立て／分解することを可能としスタッドをバランススタッフの非常に近くに位置させることを可能として外径が小さなバランスばねを使用することができるような計時器用バランスばねを保持ないし支持するアセンブリーを提供するという創造性のある考えから進展したものである。
【００３４】
図１は、第１の実施形態に係る計時器用バランスばねを保持ないし支持するアセンブリー１の概略図を示している。この保持アセンブリー１は、取付手段７によってバランスコック５に取り付けられるように構成するスタッドホルダー３を有する。この保持アセンブリー１は、さらに、バランスばね１１の１巻きのコイルに取り付けられるバランスばねスタッド９を有する。スタッドホルダー３は、スタッド９をコック５に固定するために固定手段６を用いる。
【００３５】
第１の実施形態において、基礎構造とも呼ばれるコック５には、ハウジング５０が設けられる。ここで、このハウジング５０は、中にスタッドホルダー３が配置された貫通開口ないしオリフィス５１の形態であり、このスタッドホルダー３は、図１及び２に示すように、そのハウジング５０内に、取付手段７を介して、維持される。開口は、周部リム５１ａを有し、環状である。スタッドホルダーは、スタッドをコックに固定するために用いられる回転要素を有する。取付手段７は、回転要素の外側縁３３に設けられたオスインタフェース７１と、及び周部リム５１ａ上に設けられたメスインタフェース７２とを有する。このようにして、これらのオス及びメスインタフェース７１，７２どうしが連係して、回転要素が、コック５に対する前記回転要素の回転運動を介して、ハウジング５１内にてマウントされることが可能になる。この回転運動を介した組み立ては、スタッドをハウジング５０内にロックするのに用いられる。回転運動を介する組み立てによって、スタッドが周部リムを押すことをもたらす。回転要素、ハウジング、及び取付手段は、固定手段６を形成する。これを達成するための２つの手法が考えられる。
【００３６】
図５、６及び７に示すこの第１の実施形態の好ましい態様において、回転要素は、ここで、中央ハブ３０の形態であり、これは、上側面３１、下側面３２、及び外側縁３３を有する。この中央ハブ３０は、開口と同様な形を有する。すなわち、環状である。
【００３７】
図１〜３に示す第１の手法において、周部リム５１ａには、貫通ノッチ５２が設けられ、その寸法構成は、スタッド９のものと同様であり、これによって、スタッド９を貫通ノッチ５２内に配置することができる。組み立て時に、周部リム５１ａのノッチ５２内にスタッド９が初期に配置される。ここで、ハブ３０のオスインタフェース７１を周部リム５１ａのメスインタフェース７２に係合させることによって、ハブ３０はそのハウジング５１内に固定される。ここで、ハブ３０は、回転によって固定され、これによって、その外側縁３３とスタッド９とが接触する。このようにして、このスタッド９は、周部リム５１ａ上に押されロックされる。この手法によって、スリッドを固定位置に配置することができる。
【００３８】
図１に示すこの第１の手法の変種の１つにおいて、スタッド９と接触している外側縁３３が完全な環状ではないように、ハブ３０は不規則的な形を有する。このようにして、スタッド９と接触している外側縁３３は、実質的に三角形のセットバック部分を有し、緩やかな傾斜を形成する。ハブ３０がハウジング５０内にて回転しており固定されていれば、この構成によって、スタッド９に与えられた応力の増加を相殺して、スタッド９をロックすることが可能になる。
【００３９】
図４に示す第２の手法において、ハブ３０には、貫通ノッチ３５が設けられ、その寸法構成は、スタッド９のものと同様であり、これによって、スタッド９を貫通ノッチ５２内に配置することができる。組み立て時に、ハブ３０のノッチ３５内にスタッド９が初期に配置される。ここで、ハブ３０のオスインタフェース７１を周部リム５１ａのメスインタフェース７２に係合させることによって、ハブ３０はそのハウジング５１内に固定される。ここで、ハブ３０は、回転によって固定され、これによって、周部リム５１ａとスタッド９とが接触する。このようにして、このスタッド９は、周部リム５１ａ上に押されロックされる。この手法によって、バランススタッフのまわりで位置を角度的に調整可能なスタッド９を得ることができ、このようにして、スタッド９の位置の調整が可能になる。
【００４０】
図４に示すこの第２の手法の変種において、周部リム５１ａは不規則的な形を有して、完全な環状ではなくなっている。このようにして、周部リム５１ａは、実質的に三角形のセットバック部分を有し、緩やかな傾斜を形成する。回転要素（すなわち、ハブ３０）がハウジング５０内にて回転しており固定されていれば、この構成によって、スタッド９に与えられた応力の増加を相殺して、スタッド９をロックすることが可能になる。
【００４１】
別の好ましい態様において、回転要素は、ここで、リング３００の形態である。このリング３００は、上側面３０１、下側面３０２、外側縁３０３及び内側縁３０４を有する。
【００４２】
回転要素３は、多機能ハブとして有利に用いられる。図１、５，６及び７に示すように、この中央ハブ３０は、緩衝システム１００を有するように構成する。このように、中央ハブには、貫通空欠部又は非貫通空欠部１０１が設けられ、これは、緩衝システム１００を収容する。貫通空欠部１０１によって、前記緩衝システム１００が可視状態となり、したがって、美観を向上させることができる。
【００４３】
図８に示すリング３００の場合、中に緩衝システム１００を配置するように中央オリフィスを用いることができる。
【００４４】
緩衝システム１００は、伝統的な形態であることができる。すなわち、ジュエル穴及び受け石が配置されたセッティングや単一のジュエルの形態であることができる。この単一のジュエルには、バランススタッフと連係する凹部が設けられており、ハブの穴に押し入れられたり、弾性リングを介してマウントしたりすることができる。また、緩衝システム１００は、弾性アームを備えるディスクの形態であることができる。この構成の利点の１つは、集中化されたシステムを与えることができるということがある。なぜなら、スタッドの位置が、緩衝システムと連係するバランススタッフに対して集中化されているからである。また、このことによって、スタッドホルダー３及びショックアブソーバー００として機能する組み立てが容易な多機能システムを提供することができる。スタッド９との最終組み立ての前に、緩衝システム１００をハブにあらかじめマウントすることができる。
【００４５】
もちろん、緩衝システム１００は、ハブ３０内に組み入れられていなくてもよく、中央ハブ３０に対して中心からずれた位置にあるコック５上に配置することができる。この構成によって、必ずしも大きなハブ３０がなくても大きな直径のばね仕掛けバランスを用いることが可能になる。
【００４６】
図９で見ることができる第２の実施形態において、コック５にはハウジング５００が設けられている。このハウジング５００は、ここで、周部リム５１１、内側リム５１２及び底部５１３で形成されている環状の窪みの形態である。内側リム５１２は、中央の島ないし中央の環状部分５１４を形成しており、これは、ハウジング５００の底部５１３から隆起している。ここで、回転要素３は、リング３００の形態である。このリング３００は、上側面３０１、下側面３０２、外側縁３０３及び内側縁３０４を有する。前記環状の窪み５１０内に、回転リング３００が配置されることになる。
【００４７】
この実施形態では、取付手段７は、リング３００の縁に設けられたオスインタフェース７０１と、及びハウジング５００のリムの１つ上に設けられたメスインタフェース７０２とを有する。オスインタフェース７０１をリング３００の外側縁３０３に設け、メスインタフェース７０２をハウジング５００の周部リム５１１に設けることができる。しかし、オスインタフェース７０１をリング３００の内側縁３０４に設け、メスインタフェース７０２をハウジング５００の内側リム５１２に設けることができる。
【００４８】
このようにして、これらのオス及びメスインタフェース７０１、７０２どうしが連係して、ハウジング５００に対する回転運動を介して、リング３００がマウントされることが可能になる。この回転運動を介した組み立ては、スタッド９をハウジング５００内にロックするのに用いられる。回転運動を介する組み立てによって、スタッドが周部リムを押すことをもたらす。
【００４９】
図１０で見ることができる第３の実施形態において、コック５にはハウジング５００が設けられている。このハウジング５００は、ここで、周部リム５２１及び底部５２２で形成されている環状の窪み５２０の形態である。ここで、回転要素は、第１の実施形態において説明したようなハブ３０の形態、又は第１の実施形態において説明したようなリング３００の形態であることができる。
【００５０】
この第３の実施形態では、取付手段７は、回転要素の外側縁３０３に設けられたオスインタフェース７０１と、及び周部リム５２１に設けられたメスインタフェース７０２とを有する。このようにして、これらのオス及びメスインタフェース７０１、７０２どうしが連係して、回転要素が、コック５に対する前記回転要素の回転運動を介して、ハウジング５００内にてマウントされることが可能になる。この回転運動を介した組み立ては、スタッド９をハウジング５００内にロックするのに用いられる。回転運動を介するアセンブリーによって、スタッド９が周部リムを押すことをもたらす。
【００５１】
第２及び第３の実施形態において、スタッドを収容するノッチが設けられる。
【００５２】
図１１〜１３に示す第１の手法によると、スタッドホルダー上の調整不能な固定位置にスタッド９がマウントされる。このようにして、周部リム５１１、５２１又は内側リム５１２上に、貫通ノッチ５１５、５２３が設けられる。ここで、初期に、ノッチ５１５、５２３内にスタッド９が配置され、そして、オスインタフェース７０１をメスインタフェース７０２と係合させることによって回転要素がそのハウジング５１０、５２０内に固定される。そして、回転要素３が回転し、これによって、回転要素の縁の１つとスタッド９が接触する。このようにして、このスタッド９は、ノッチ５１５、５２３内に押されロックされる。この手法によって、スタッドを固定位置に配置することができる。
【００５３】
この第１の手法の変種の１つにおいて、スタッド９と接触している外側縁３３、３０３が完全な環状ではないように、回転要素は不規則的な形を有する。このようにして、スタッド９と接触している縁は、実質的に三角形のセットバック部分を有し、緩やかな傾斜を形成する。回転要素が回転しており固定されていれば、この構成によって、スタッド９に与えられた応力の増加を相殺して、スタッド９をロックすることが可能になる。
【００５４】
図１４〜１６に示す第２の手法によると、スタッドホルダー上の調整不能な固定位置にスタッド９がマウントされる。この手法において、回転要素には、ノッチ３５が設けられ、その寸法構成は、スタッド９のものと同様であり、これによって、スタッド９をノッチ３５内に配置することができる。ハウジング５００は、さらに、貫通部分が設けられており、これによって、そこをスタッド９が通り抜けてハウジング５００内に出てくることができ、バランスバネにスタッド９を固定してノッチ３５内に挿入することができる。このスタッド９用のノッチ３５を、リング３００の外側縁３０３上に又は内側縁３０４上に設けることができる。この貫通部分は、環状の溝の形を有することになる。
【００５５】
組み立て時に、回転要素のノッチ３５内にスタッド９が初期に配置される。ここで、オスインタフェース７０１をメスインタフェース７０２に係合させることによって、回転要素はそのハウジング５００内に固定される。そして、回転要素は回転し、これによって、周部リム５１１とスタッド９、又は内側リム５１２とスタッド９が接触する。このようにして、スタッドが押され、ロックされる。ハウジングの底部５１３の貫通部分の環状の溝の形状によって、スタッド９を、回転要素のノッチ及び回転要素の回転可能なアセンブリー内に配置することができる。
【００５６】
もちろん、リングのノッチが、大きさを大きくするように突き出ていてもいなくてもよい。
【００５７】
この第２の手法の変種において、周部リム又は内側リムは不規則的な形を有し、完全な環状ではなくなっている。このようにして、周部リム又は内側リムは、実質的に三角形のセットバック部分を有し、緩やかな傾斜を形成する。回転要素がハウジング内にて回転しており固定されていれば、この構成によって、スタッドに与えられた応力の増加を相殺して、スタッドをロックすることが可能になる。
【００５８】
図１７〜１９に示す第２又は第３の実施形態の第１の変種において、コックの下側面上にハウジング５００を設けることを思い描くことができる。実際に、コック５は、このコック５が組み立てられても見ることができる上側面と、下側面とを有する。この下側面は、一般的には、上にバランススタッフが固定される面である。このようにして、コック５のハウジングがこの下側面上に設けられる。第２及び第３の実施形態において、このことは、スタッドが回転要素内にて固定されバランスばねに固定されるために、部分的に貫通している底部を有することが必要ではないことを意味する。このようにして、装飾を形成するために、コックの完全にスムースな可視面を得ることができる。
【００５９】
図２０〜２３に示す第２又は第３の実施形態の第２の変種において、緩衝システム１００が設けられる。緩衝システム１００は、伝統的な形態であることができる。すなわち、ジュエル穴及び受け石が配置されたセッティングや単一のジュエルの形態であることができる。この単一のジュエルには、バランススタッフと連係する凹部が設けられており、ハブの穴に押し入れられたり、弾性リングを介してマウントしたりすることができる。また、緩衝システム１００は、弾性アームを備えるディスクの形態であることができる。
【００６０】
図２０に示すコックの可視面にハウジングが設けられている場合、ハウジングの底部の下側には、前記緩衝システム１００が中に配置される凹部が設けられている。内側リムによって形成される突出部がハウジングに設けられていれば、この突出部ないし中央の島に、緩衝システム１００用の凹部が配置され、これによって、完璧な中心合わせが可能になる。
【００６１】
コックの非可視面にハウジングが設けられている場合、いくつかの可能性がある。
【００６２】
図２２に示すように、突出部ないし中央の島を形成する内側リムがハウジングに設けられていれば、この中央の島に緩衝システム用の凹部が作られる。
【００６３】
周部リムと底部がハウジングに設けられており、かつ、回転要素が図２１に示すようなハブである場合、緩衝システム１００用の凹部が前記ハブに設けられることになる。
【００６４】
ハウジングに周部リム５１１と底部５１３が設けられており、かつ、回転要素が図２３に示すようなリング３００であるような場合、バランスばねを支えるバランススタッフが前記リング３００を通り抜けるように、緩衝システム１００用の凹部が前記ハウジング５００の底部に設けられる。
【００６５】
図２４に示す回転要素がリング状であるような異なる実施形態の変種において、回転リング３００は、いくつかのレベル３３３があるようなリングである。より詳細には、回転リングは、２つのレベル３３３ａ、３３３ｂを有する。これを達成するためには、回転リング３００は、一定な内径及び可変な外径を有する管と同様である。最大の直径を有する第１のレベル３３３ａは、オスインタフェース７０２を搭載し、最小の直径を有する第２のレベル３３３ｂは、スタッド９をロックするために用いられる。この変種によって、スタッドの取り付け部分及びハウジングにおける取り付け部分とハウジングにおける取り付け部分とが分離し、スタッドを背骨の近くに持っていくことが可能になる。
【００６６】
このようにして、複数の実施形態における回転要素の回転可能なマウントのために、オスインタフェース７１、７０１とメスインタフェース７２、７０２どうしが連係して、ハウジングに対するハブの回転運動によってハウジング内の中央ハブをマウントする。
【００６７】
第１の代替実施形態によると、この回転可能なマウントは、差し込み式嵌め合い（bayonet fitting）で行われる。これを達成するために、周部リムの厚みの範囲内にある少なくとも１つの空洞によって、メスインタフェース７０２が形成される。この空洞は、前記中央ハブの軸に平行であって上側面にて開いているカウンターシンクと、及び前記第１のカウンターシンクと交わる向きを有し上側面と対向している非貫通溝とによって形成されている。回転要素を差し込み式嵌め合いでロックするために、この溝が用いられる。
【００６８】
回転要素上に位置するオスインタフェース７１、７０１は、少なくとも１つの突出部からなる。この突出部は、回転要素の外側縁上に位置している。この突出部は、メスインタフェースと係合するように構成する。
【００６９】
回転要素は、突出部をカウンターシンク内に挿入できるように、ハウジング内でマウントされる。ここで、回転要素をハウジング内に挿入することができる。回転要素が当接位置に到達するときには、突出部が溝に対向しているはずである。結果的に、突出部を前記溝に挿入し、前記回転要素をコックに固定するように、回転運動が行われる。
【００７０】
第２の代替実施形態によると、回転可能なマウントは、ねじマウントである。このようにして、周部リムに設けられるネジピッチによって、メスインタフェースが形成される。回転要素上に位置するオスインタフェースも、ネジピッチからなる。このネジピッチは、メスインタフェースと係合するように構成する。
【００７１】
もちろん、他のタイプのアセンブリーも用いることができる。例えば、圧入や接着結合である。しかし、これらは、差し込み式嵌め合いやネジのように分解することはできない。
【００７２】
添付の請求の範囲によって定められる本発明の範囲から逸脱せずに、上記の本発明の様々な実施形態に対して、当業者に明らかな様々な変更及び／又は改善及び／又は組み合わせを行うことができることは明らかであろう。
【符号の説明】
【００７３】
１  保持アセンブリー
３  スタッドホルダー
５  コック
６  スタッドを固定する手段
７  取り付け手段
９  スタッド
３０  ハブ
３５  貫通ノッチ
５０  ハウジング
５１  オリフィス
５１ａ、５１１  周部リム
５２  貫通ノッチ
１００  緩衝システム
３００  リング
５００  ハウジング
５１１  周部リム
５１２  内側リム
５１３  底部
５１４  中央部分
５１５  ノッチ
３０，３００  回転要素
３３，３０３  外側縁
【図１】
2016118555.tif 000003
【図２】
2016118555.tif 000004
【図３】
2016118555.tif 000005
【図４】
2016118555.tif 000006
【図５】
2016118555.tif 000007
【図６】
2016118555.tif 000008
【図７】
2016118555.tif 000009
【図８】
2016118555.tif 000010
【図９】
2016118555.tif 000011
【図１０】
2016118555.tif 000012
【図１１】
2016118555.tif 000013
【図１２】
2016118555.tif 000014
【図１３】
2016118555.tif 000015
【図１４】
2016118555.tif 000016
【図１５】
2016118555.tif 000017
【図１６】
2016118555.tif 000018
【図１７】
2016118555.tif 000019
【図１８】
2016118555.tif 000020
【図１９】
2016118555.tif 000021
【図２０】
2016118555.tif 000022
【図２１】
2016118555.tif 000023
【図２２】
2016118555.tif 000024
【図２３】
2016118555.tif 000025
【図２４】
2016118555.tif 000026
【外国語明細書】
2016118555000001.pdf